(57)【特許請求の範囲】
【請求項１】
複数のプロトコルに従った通信処理が可能となる移動機を用いて所定のネットワークを介してパケット通信を行う際におけるパケット通信制御方法において、
１のプロトコルに従ったパケット通信状態にある移動機に対して、該移動機に接続される外部端末から他のプロトコルに従ったパケット通信の要求がなされたときに、移動機からの要求に従って当該パケット通信状態にて使用されていた仮想回線の接続解除を行い、
該仮想回線の接続解除後、新たな仮想回線の接続を移動機からの要求に従って行い、
上記外部端末が該新たに接続された仮想回線を用いて上記他のプロトコルに従ったパケット通信を当該移動機を中継して行うようにしたパケット通信制御方法。
【請求項２】
複数のプロトコルに従った通信処理が可能となる移動機を用いて所定のネットワークを介してパケット通信を行う際におけるパケット通信制御方法において、
移動機に接続された外部端末が１のプロトコルに従ってパケット通信を行う際に、当該１のプロトコルに従ったパケット通信状態にある移動機に対して、該移動機の操作部から他のプロトコルに従ったパケット通信の要求がなされたときに、移動機からの要求に従って当該パケット通信状態にて使用されていた仮想回線の接続解除を行い、
該仮想回線の接続解除後、新たな仮想回線の接続を移動機からの要求に従って行い、
移動機が該新たに接続された仮想回線を用いて上記他のプロトコルに従ったパケット通信を行うようにしたパケット通信制御方法。
【請求項３】
請求項１または２記載のパケット通信制御方法において、
１のプロトコルに従ったパケット通信状態にある移動機に対して、他のプロトコルに従ったパケット通信の要求がなされたときに、移動機からの要求に従ってパケット通信状態を解除することにより当該パケット通信状態にて使用されていた仮想回線の接続解除を行い、
移動機からの要求に従って当該移動機をパケット通信状態にし、
その後、移動機からの要求に従って当該パケット通信状態にて使用すべき新たな仮想回線の接続を行うようにしたパケット通信制御方法。
【請求項４】
請求項１または２記載のパケット通信制御方法において、
１のプロトコルに従ったパケット通信状態にある移動機に対して、他のプロトコルに従ったパケット通信の要求がなされたときに、該パケット通信状態を維持しつつ移動機からの要求にしたがって当該パケット通信状態にて使用されていた仮想回線の接続解除を行い、
その後、そのパケット通信状態が維持された状態で、新たな仮想回線の接続を移動機からの要求に従って行うようにしたパケット通信制御方法。
【請求項５】
所定のネットワークを介してパケット通信を行う際に用いられ、複数のプロトコルに従った通信処理が可能となる移動機において、
１のプロトコルに従ったパケット通信状態にあるとき、自移動機に接続される外部端末から他のプロトコルに従ったパケット通信の要求がなされたときに、当該パケット通信状態にて使用されていた仮想回線の接続解除を行うための処理を行う解除処理手段と、
該解除処理手段による当該仮想回線の接続解除後、新たな仮想回線の接続するための処理を行う接続処理手段とを有し、
該接続処理手段にて上記外部端末が新たに接続された仮想回線を用いて上記他のプロトコルに従ったパケット通信を行うようにした移動機。
【請求項６】
所定のネットワークを介してパケット通信を行う際に用いられ、複数のプロトコルに従った通信処理が可能となる移動機において、
自移動機に接続された外部端末が１のプロトコルに従ってパケット通信を行う際に、当該１のプロトコルに従ったパケット通信状態にあるとき、他のプロトコルに従ったパケット通信の要求がなされたときに、当該パケット通信状態にて使用されていた仮想回線の接続解除を行うための処理を行う解除処理手段と、
該解除処理手段による当該仮想回線の接続解除後、新たな仮想回線の接続するための処理を行う接続処理手段とを有し、
該接続処理手段にて新たに接続された仮想回線を用いて上記他のプロトコルに従ったパケット通信を行うようにした移動機。
【発明の詳細な説明】
【０００１】
【発明の属する技術分野】
本発明は、パケット通信制御方法に係り、詳しくは、複数のプロトコルに従った通信処理が可能となる移動機を用いてパケット通信を行う際におけるパケット通信制御方法に関する。
【０００２】
また、本発明は、そのようなパケット通信制御方法に従って処理を行う移動機に関する。
【０００３】
【従来の技術】
複数のプロトコルに従ってパケット通信処理が可能となる移動機が考えられている。このような移動機は、当該移動機単体で、例えば、ＴＬ（Transport Layer）プロトコルに従ったパケット通信を行う機能と、外部端末（パーソナルコンピュータなど）に接続された状態で、例えば、ＰＰＰプロトコル（Point to Point Protocol）に従って外部端末にて行われるパケット通信の中継を行う機能とを有するように構成することができる。このような移動機を外部端末に接続して使用するユーザは、移動機単体及び外部端末をパケット通信の通信端末として利用することができるようなる。
【０００４】
このように複数のプロトコルに従って通信処理が可能となる移動機が外部端末に接続された状態において、移動機単体が通信状態となるときに、ユーザが外部端末での通信を希望する場合がある。また、逆に、外部端末が移動機を中継した通信状態となるときに、ユーザが移動機単体での通信を希望する場合もある。
【０００５】
このような場合に、所定のプロトコルに従ったパケット通信状態となる移動機に対して、ユーザ操作に従って外部端末や当該移動機の操作部から他のプロトコルに従ったパケット通信の要求がなされると、仮想回線の同時接続数が２以上許容される移動通信システムであれば、移動機の通信状態を維持しつつ他のプロトコルに従ったパケット通信を行うことができる。即ち、移動機は、1つの仮想回線に接続された状態で上記所定のプロトコルに従った通信状態を維持しつつ、他の仮想回線に新たに接続して他のプロトコルに従ったパケット通信を行う。
【０００６】
しかしながら、ＰＤＣ（Personal Digital Cellular）システムのように、移動機に対して接続可能な仮想回線数が１つに限定されている移動通信システムでは、後からの通信要求が拒否されるか、既に行われているパケット通信の通信状態をユーザ操作により解除して仮想回線を切断した後に、新たな通信要求に対してパケット通信登録処理、仮想回線の接続などの処理を行うことになる。
【０００７】
【発明が解決しようとする課題】
一人のユーザが移動機を外部端末に接続して使用する場合、既にパケット通信を行っていることを知っているユーザの操作に基づいて後になされる通信要求を優先させることが好ましい。前述したように、後の通信要求を拒否することは、ユーザの使い勝手が良くない。
【０００８】
しかし、後の通信要求を優先する場合、前のパケット通信を解除した後に、新たなパケット通信を行うようにしなければならい。このため、ユーザは、通信端末を変える毎に既存の仮想回線を切断するための操作及び新たな仮想回線を接続するための操作を行わなければならず、その利便性に欠ける。
【０００９】
そこで、本発明の第一の課題は、複数のプロトコルに従った通信処理が可能となる移動機の利便性を向上させることのできるパケット通信制御方法を提供することである。
【００１０】
また、本発明の第二の課題は、そのようなパケット通信制御方法に従って処理を行う移動機を提供することである。
【００１１】
【課題を解決するための手段】
上記第一の課題を解決するため、本発明によれば、複数のプロトコルに従った通信処理が可能となる移動機を用いて所定のネットワークを介してパケット通信を行うに際におけるパケット通信制御方法において、１のプロトコルに従ったパケット通信状態にある移動機に対して、他のプロトコルに従ったパケット通信の要求がなされたときに、移動機からの要求に従って当該パケット通信状態にて使用されていた仮想回線の接続解除を行い、該仮想回線の接続解除後、新たな仮想回線の接続を移動機からの要求に従って行い、移動機が該新たに接続された仮想回線を用いて上記他のプロトコルに従ったパケット通信を行うように構成される。
【００１２】
このようなパケット通信制御方法では、１のプロトコルに従ったパケット通信状態にある移動機に対して他のプロトコルに従ったパケット通信の要求がなされたときに、移動機からの要求に従って、当該パケット通信状態にて使用されていた仮想回線の接続解除及び新たな仮想回線の接続が行われる。そして、移動機は新たに接続された仮想回線を用いて上記要求に係る他のプロトコルに従ったパケット通信を行う。
【００１３】
上記仮想回線の接続解除及び新たな仮想回線の接続のための処理は、ネットワーク側の機能に依存してなされるものであるが、特に限定されるものではない。上記パケット通信状態にて使用されていた仮想回線の接続解除は、当該パケット通信状態を解除することにより行うこともできるし、また、当該パケット通信状態を維持しつつその使用されていた仮想回線だけの接続解除により行うことができる。
【００１４】
前者の場合、本発明によれば、上記パケット通信制御方法において、１のプロトコルに従ったパケット通信状態にある移動機に対して、他のプロトコルに従ったパケット通信の要求がなされたときに、移動機からの要求に従ってパケット通信状態を解除することにより当該パケット通信状態にて使用されていた仮想回線の接続解除を行い、移動機からの要求に従って当該移動機をパケット通信状態にし、その後、移動機からの要求に従って当該パケット通信状態にて使用すべき新たな仮想回線の接続を行うように構成することができる。
【００１５】
上記仮想回線の接続解除がなされた後に行われる当該移動機をパケット状態にするために、通常、パケット通信登録要求、認証などの処理がなされる。
【００１６】
また、後者の場合、本発明によれば、上記パケット通信制御方法において、１のプロトコルに従ったパケット通信状態にある移動機に対して、他のプロトコルに従ったパケット通信の要求がなされたときに、該パケット通信状態を維持しつつ移動機からの要求にしたがって当該パケット通信状態にて使用されていた仮想回線の接続解除を行い、その後、そのパケット通信状態が維持された状態で、新たな仮想回線の接続を移動機からの要求に従って行うように構成することができる。
【００１７】
このようにパケット通信状態を維持しつつ仮想回線だけを接続解除し、その状態で新たな仮想回線を接続するようにする場合、上記のようにパケット通信状態が解除された後に再度パケット通信状態にするための処理（例えば、パケット通信登録要求、認証など）が必要ないので、移動機とネットワーク間の通信トラフィックの増大を回避することができる。
【００１８】
外部端末を移動機に接続してパケット通信を行う場合を想定すると、本発明によれば、上記各パケット通信制御方法において、１のプロトコルに従ったパケット通信状態にある移動機に対して、該移動機に接続される外部端末から他のプロトコルに従ったパケット通信の要求がなされたときに、移動機からの要求に従って当該パケット通信状態にて使用されていた仮想回線の接続解除を行い、該仮想回線の接続解除後、新たな仮想回線の接続を移動機からの要求に従って行い、上記外部端末が該新たに接続された仮想回線を用いて上記他のプロトコルに従ったパケット通信を当該移動機を中継して行うように構成することができる。
【００１９】
また、同様な場合を想定すると、本発明によれば、上記各パケット通信制御方法において、移動機に接続された外部端末が１のプロトコルに従ってパケット通信を行う際に、当該１のプロトコルに従ったパケット通信状態にある移動機に対して、該移動機の操作部から他のプロトコルに従ったパケット通信の要求がなされたときに、移動機からの要求に従って当該パケット通信状態にて使用されていた仮想回線の接続解除を行うように構成することができる。
【００２０】
また、上記第二の課題を解決するため、本発明によれば、所定のネットワークを介してパケット通信を行う際に用いられ、複数のプロトコルに従った通信処理が可能となる移動機において、１のプロトコルに従ったパケット通信状態にあるとき、他のプロトコルに従ったパケット通信の要求がなされたときに、当該パケット通信状態にて使用されていた仮想回線の接続解除を行うための処理を行う解除処理手段と、該解除処理手段による当該仮想回線の接続解除後、新たな仮想回線の接続するための処理を行う接続処理手段とを有し、該接続処理手段にて新たに接続された仮想回線を用いて上記他のプロトコルに従ったパケット通信を行うように構成される。
【００２１】
【発明の実施の形態】
以下、本発明の実施の形態を図面に基づいて説明する。
【００２２】
本発明の実施の一形態に係るパケット通信制御方法が適用される移動通信システムの基本的な構成は、例えば、図１に示すようになっている。
【００２３】
図１において、移動機１０にパーソナルコンピュータ（ＰＣ）などの外部端末２０が接続される。この移動機１０は、例えば、ＴＬプロトコルに従ったパケット通信を行う機能と、ＰＰＰプロトコルに従ったパケット通信を行う機能を備えている。移動機１０は基地局３０及び制御局４０との間に仮想回線を設定して無線通信を行う。基地局３０は制御局（交換局）４０を介して所定のネットワーク５０に接続されている。このような構成により、移動機１０は、無線区間を含む仮想回線を介してネットワーク５０に接続された他の端末とパケット通信を行うことができる。
【００２４】
ＴＬプロトコルに従ったパケット通信状態にある移動機１０に対して外部端末２０から通信要求がなされた場合、例えば、図２に示す手順に従って処理が行われる。なお、図２において、ネットワークＮＷは、図１に示す基地局３０、制御局４０及びネットワーク５０内に構成されるシステムを指す。以下、図３乃至図５においても同様である。
【００２５】
図２において、接続先ＡとＴＬプロトコルに従ったパケット通信状態にある移動機１０（MS TEL：操作部、MS UPCH：無線通信部）に対して外部端末２０から、接続先Ｂを指定した非電話サービス要求（パケットＯＮ）がなされると（１）、移動機１０は、現在のパケット通信に対するパケット通信登録解除要求をネットワークＮＷに送信する（２）。このパケット通信登録解除要求に対する応答としてパケット通信登録解除応答をネットワークＮＷから移動機１０が受信すると（３）、接続先Ａに対するゲートウエイサービス確認ＯＦＦが操作部（MS TEL）に供給される（４）。そして、今まで移動機１０に接続されていた仮想回線が解除され、例えば、移動機１０の表示部に今まで行っていた通信が中断された旨のメッセージが表示される。
【００２６】
その後、移動機１０は、一時的に待受け状態になり、更に、外部端末２０からの要求に従った新たなパケット通信を行うため、パケット通信登録要求をネットワークＮＷに送信する（５）。このパケット通信登録要求に対してネットワークＮＳからパケット認証要求が移動機１０に対してなされると（６）、移動機１０は、それに応答して、パケット認証応答をネットワークＮＷに送信する（７）。このパケット認証応答によりネットワークＮＷにおいてユーザ認証などが正常になされると、ネットワークＮＷから移動機１０に対してパケット通信登録応答が送信さされる（８）。
【００２７】
移動機１０がこのパケット通信登録応答を受信すると、移動機１０とネットワークＮWとの間で非同期平衡モード設定コマンドＳＡＢＭＥとその応答情報ＵＳの送受信が行われる（９）（１０）。そして、移動機１０は、上記外部端末２０からの要求に基づいてユーザ利用プロトコルとしてＰＰＰプロトコルを指定すると共に接続先Ｂを指定して仮想回線接続要求をネットワークＮＷに対して送信する（１１）。この仮想回線接続要求に対して、ネットワークＮＷは、仮想回線の使用が可能であれば、仮想回線接続応答を移動機１０に返す（１２）。
【００２８】
この仮想回線接続応答を受信した移動機１０は、上記外部端末２０からの非電話サービス要求（パケットＯＮ）に対する応答として、非電話サービス確認（パケットＯＮ）を外部端末２０に送信する（１３）。そして、移動機１０と接続先Ｂとの間に新たな仮想回線が接続される。外部端末２０は、この非電話サービス確認（パケットＯＮ）を受信すると、移動機１０に新たに接続された仮想回線を使用し、当該移動機１０を中継して接続先Ｂとのパケット通信を開始する。
【００２９】
また、上記例とは逆に、移動機１０を中継して外部端末２０がＰＰＰプロトコルに従ってパケット通信がなされている状態において、移動機１０に対して操作部から通信要求が入力された場合、例えば、図３に示す手順に従って処理が行われる。
【００３０】
図３において、外部端末２０と接続先Ａとの間でなされるＰＰＰプロトコルに従ったパケット通信を中継している移動機１０に対して、新たな通信を行うために、操作部（MS TEL）から接続先Ｂの指定と共にゲートウエイサービス要求ＯＮの入力がなされると（１）、上述した例と同様に、移動機１０は、現在のパケット通信に対するパケット通信登録解除要求をネットワークＮＷに送信する（２）。そして、このパケット通信登録解除要求に対する応答としてパケット通信登録解除応答をネットワークＮＷから移動機１０が受信すると（３）、移動機１０は、外部端末２０に対して接続先Ａに対する非電話サービス確認（パケットＯＦＦ）を送信する（４）。この非電話サービス確認を受信した外部端末２０が移動機１０を中継したパケット通信状態を解除することにより、移動機１０は一時的に待受け状態となる。
【００３１】
その後、前述した処理と同様に、移動機１０とネットワークＮＷとの間で、新たなパケット通信登録、認証等の処理がなされ（５〜１０）、更に、移動機１０は、ユーザ利用プロトコルとしてＴＬプロトコルを指定すると共に接続先Ｂを指定して仮想回線接続要求をネットワークＮＷに送信する（１１）。この仮想回線接続要求に対して、ネットワークは、仮想回線の使用が可能であれば、仮想回線接続応答を移動機１０に返す（１２）。
【００３２】
この仮想回線接続応答を受信した移動機１０では、上記操作部からのゲートウエイサービス要求ONに対する応答として、ゲートウエイサービス確認ONが操作部に提供される。操作部は、このゲートウエイサービス確認ONに基づいて、例えば、新たに接続先Ｂとのパケット通信を開始する旨の表示等を行う。そして、移動機１０は、当該移動機１０に新たに接続された仮想回線を使用し、ＴＬプロトコルに従ってパケット通信を接続先Ｂとの間で開始する。
【００３３】
上述した例では、移動機１０がＴＬプロトコルまたはＰＰＰプロトコルに従ったパケット通信状態において、外部端末２０または移動機１０の操作部から他のプロトコル（ＰＰＰプロトコルまたはＴＬプロトコル）に従ったパケット通信の要求がなされると、既に行われていたパケット通信状態が解除され、新たなパケット通信の登録処理、認証処理、仮想回線接続処理等が行われ、当該新たな要求に係る他のプロトコルに従ったパケット通信が開始される。従って、ユーザは、移動機１０及び外部端末２０の通信状態を気にすることなく、移動機１０または外部端末２０に対して通信要求の操作を行うだけで、自動的に最新の要求に係るパケット通信が行われるようになる。
【００３４】
上記の例では、移動機１０があるプロトコルに従ったパケット通信状態にあるときに、他のプロトコルでのパケット通信の要求がなされると、そのパケット通信状態を解除するための処理、新たなパケット通信の登録処理、認証処理を行わなければならない。それらの処理に伴う制御信号の送受によって移動機１０とネットワークＮＷ間のトラフィックが増大してしまう。このようなトラフィックの増大を回避するために、次のようにして処理を行うことができる。
【００３５】
ＴＬプロトコルに従ったパケット通信状態にある移動機１０に対して外部端末２０から通信要求がなされた場合、例えば、図４に示す手順に従って処理が行われる。
【００３６】
図４において、接続先ＡとＴＬプロトコルに従ったパケット通信状態にある移動機１０に対して外部端末２０から、接続先Ｂを指定した非電話サービス要求（パケットＯＮ）がなされると（１）、移動機１０は、前述した例（図２参照）のようにパケット通信登録解除要求を送信するのではなく、パケット通信の登録状態を維持しつつ仮想回線接続解除要求をネットワークＮＷに対して送信する（２）。そして、移動機１０は、内部タイマを起動する。上記仮想回線接続解除要求を受信したネットワークＮＷは、仮想回線の解除が可能であれば、その仮想回線接続解除要求の応答として仮想回線接続解除応答を移動機１０に返す（３）。
【００３７】
移動機１０は、上記のように仮想回線接続解除要求をネットワークNWに送信した後に、内部タイマを起動してその応答の待ち状態となる。そして、所定時間内に上記仮想回線接続解除応答を受信すると（▲１▼）、接続先Ａに対するゲートウエイサービス確認ＯＦＦが操作部（MS TEL）に対して供給される（４）。そして、パケット通信状態が維持されつつ、今まで移動機１０に接続されていた仮想回線が解除され、例えば、移動機１０の表示部に今まで行っていた通信が中断された旨のメッセージが表示される。
【００３８】
その後、前述した例（図２参照）と同様に、移動機１０とネットワークＮＷとの間で、ユーザ利用プロトコル（ＰＰＰプロトコル）の指定及び接続先Ｂの指定を含む仮想回線接続要求及びその応答となる仮想回線接続応答が送受信される（５）（６）。そして、この仮想回線接続応答を受信した移動機１０は、上記外部端末２０からの非電話サービス要求（パケットＯＮ）に対する応答として、非電話サービス確認（パケットＯＮ）を外部端末２０に送信し（７）、移動機１０と接続先Ｂとの間に新たな仮想回線が接続される。外部端末２０は、この移動機１０に新たに接続された仮想回線を使用し、当該移動機１０を中継して接続先Ｂとのパケット通信を開始する。
【００３９】
なお、移動機１０が仮想回線接続解除要求を送信してから所定時間内にネットワークＮＷから仮想回線接続解除応答を受信できなかった場合、移動機１０とネットワークＮＷとの間では、タイムアウト処理Ｐが行われる。このように、このタイムアウト処理Ｐは、パケット通信状態を維持しつつ仮想回線の接続解除ができない場合に行われる処理であり、今までなされていたパケット通信登録の解除処理（図２における（２）〜（４）に対応）、新たなパケット登録処理等（図２における（５）〜（１０）に対応）が行われる。
【００４０】
上記のような処理によれば、移動機１０がＴＬプロトコルに従ったパケット通信状態において、外部端末２０からＰＰＰプロトコルに従ったパケット通信の要求がなれると、そのパケット通信状態が維持されつつ仮想回線の接続切換えがなされ、その切換えによって新たに接続された仮想回線を用いて新たな要求に係るＰＰＰプロトコルに従ったパケット通信が開始される。従って、前述した例のように、パケット通信登録解除、パケット通信登録、認証などの処理がなされないので、移動機１０とネットワークＮＷ間のトラヒックの増大を回避することができる。
【００４１】
また、前述した例と同様に、ユーザは、移動機１０及び外部端末２０の通信状態を気にすることなく、移動機１０または外部端末２０に対して通信要求の操作を行うだけで、自動的に最新の要求に係るパケット通信が行われるようになる。なお、上記例とは逆に、移動機１０を中継して外部端末２０がＰＰＰプロトコルに従ってパケット通信がなされている状態において、移動機１０に対して操作部から通信要求が入力された場合、例えば、図５に示す手順に従って処理が行われる。
【００４２】
図５において、外部端末２０と接続先Ａとの間でなされるＰＰＰプロトコルに従ったパケット通信を中継している移動機１０に対して操作部（MS TEL）から接続先Ｂの指定と共にゲートウエイサービス要求ＯＮの入力がなされると（１）、図４に示す処理と略同様の手順（１〜７）に従った処理またはタイムアウト処理Ｐが行われる。それにより、パケット通信状態が維持されつつ、仮想回線が切換えられ、移動機１０は、当該移動機１０に新たに接続された仮想回線を使用し、ＴＬプロトコルに従ってパケット通信を接続先Ｂとの間で開始する。
【００４３】
【発明の効果】
以上、説明してきたように、請求項1乃至５記載の本願発明に係るパケット通信制御方法によれば、１のプロトコルに従ったパケット通信状態にある移動機に対して他のプロトコルに従ったパケット通信の要求がなされたときに、移動機からの要求に従って、当該パケット通信状態にて使用されていた仮想回線の接続解除及び新たな仮想回線の接続が行われ、移動機は新たに接続された仮想回線を用いて上記要求に係る他のプロトコルに従ったパケット通信を行う。そのため、移動機のユーザは、移動機の通信状態を考慮することなく、パケット通信の要求を移動機に与えるだけで、移動機はその要求に係るパケット通信を所定のプロトコルに従って行うようになる。そのため、移動機の利便性が向上する。
【００４４】
また、請求項６に係る本願発明によれば、上記のようなパケット通信制御方法に従って処理を行う移動機を提供することができる。
【図面の簡単な説明】
【図１】本発明の実施の一形態に係るパケット通信制御方法が適用される移動通信システムの基本的な構成例を示すブロック図である。
【図２】本発明の実施の一形態に係るパケット通信制御方法に従った処理の流れ（その１）を示すシーケンス図である。
【図３】本発明の実施の一形態に係るパケット通信制御方法に従った処理の流れ（その２）を示すシーケンス図である。
【図４】本発明の実施の一形態に係るパケット通信制御方法に従った処理の流れ（その３）を示すシーケンス図である。
【図５】本発明の実施の一形態に係るパケット通信制御方法に従った処理の流れ（その４）を示すシーケンス図である。
【符号の簡単な説明】
１０  移動機
２０  外部端末
３０  基地局
４０  制御局
５０  ネットワーク
【図１】
0003778419.tif 000002
【図２】
0003778419.tif 000003
【図３】
0003778419.tif 000004
【図４】
0003778419.tif 000005
【図５】
0003778419.tif 000006